(57)【要約】【課題】ゲート管理端末と管理サーバとをネットワーク構築することなく、かつ電子ペーパの省電力性を活かした携帯表示装置及びこれを使用する案内システムを提供することにある。【解決手段】電子ペーパを用いた表示部２と、表示する画像データを蓄積する記憶部９と、 アンテナ回路を含む回路部を有するＲＦＩＤモジュール４を有する携帯表示装置において、前記ＲＦＩＤモジュール４で受信したＩＤ情報に対応した表示画像を前記記憶部９から読み出して前記表示部２に表示する携帯表示装置。【選択図】図１
2009157239.tif 000002
【特許請求の範囲】
【請求項１】
電子ペーパを用いた表示部と、表示する画像データを蓄積する記憶部と、アンテナ回路を含む回路部を有するＲＦＩＤモジュールと、を備えた携帯表示装置において、前記ＲＦＩＤモジュールで受信したＩＤ情報に対応した表示画像を前記記憶部から読み出して前記表示部に表示することを特徴とする携帯表示装置。
【請求項２】
使用者に対応する画像表示を行なうために、表示画像データを記憶する前記記憶部をメモリカードとすることを特徴とする請求項１記載の携帯表示装置。
【請求項３】
前記使用者が、制御装置であるＲＦＩＤリーダ／ライタを設置しているゲートを通過する時、該ゲートに固有のＩＤを前記ＲＦＩＤモジュールから受信し、該受信したＩＤに基づいて、前記ゲートの場所に対応した表示画像を前記記憶部から読み出して前記表示部に表示することを特徴とする請求項１又は２記載の携帯表示装置。
【請求項４】
前記受信したＩＤが、前記記憶部に記憶されている通行許可ＩＤリストにない場合、警告ブザーを鳴らすことを特徴とする請求項３記載の携帯表示装置。
【請求項５】
前記受信したＩＤが、前記記憶部に記憶されている通行許可ＩＤリストにない場合、表示画像を消去することを特徴とする請求項３記載の携帯表示装置。
【請求項６】
前記受信したＩＤが、前記記憶部に記憶されている通行許可ＩＤリストにない場合、前記記憶部に記録されているデータを消去することを特徴とする請求項３記載の携帯表示装置。
【請求項７】
請求項１又は２記載の携帯表示装置を使用する案内システムにおいて、前記使用者が、制御装置であるＲＦＩＤリーダ／ライタを設置しているゲートを通過する時、該ゲートに固有のＩＤを前記ＲＦＩＤモジュールから受信し、該受信したＩＤから、次の移動先を前記記憶部から読み出して前記表示部に表示することを特徴とする案内システム。
【請求項８】
前記受信したＩＤが、前記記憶部に記憶されている移動先ＩＤの順番とは異なる場合、警告ブザーを鳴らすことを特徴とする請求項７記載の案内システム。
【請求項９】
前記受信したＩＤが、前記記憶部に記憶されている移動先ＩＤの順番とは異なる場合、前記表示部には前記ゲートの場所から正しい移動先までの案内を表示することを特徴とする請求項７記載の案内システム。
【請求項１０】
請求項１又は２記載の携帯表示装置を使用する案内システムにおいて、前記携帯表示装置の使用者が、制御装置であるＲＦＩＤリーダ／ライタを設置しているゲートを通過する時、前記制御装置に前記携帯表示装置を自ら接触させることによって、前記制御装置に固有のＩＤを前記ＲＦＩＤモジュールから受信し、該受信したＩＤから、前記ゲートの場所に対応した表示画像を前記記憶部から読み出して前記表示部に表示することを特徴とする案内システム。
【請求項１１】
前記受信したＩＤが、前記記憶部に記憶されている通行許可ＩＤリストにない場合、警告ブザーを鳴らすことを特徴とする請求項１０記載の案内システム。
【請求項１２】
前記受信したＩＤが、前記記憶部に記憶されている通行許可ＩＤリストにない場合、表示画像を消去することを特徴とする請求項１０記載の案内システム。
【請求項１３】
前記受信したＩＤが、前記記憶部に記憶されている通行許可ＩＤリストにない場合、前記記憶部に記録されているデータを消去することを特徴とする請求項１０記載の案内システム。
【請求項１４】
請求項１又は２記載の携帯表示装置を使用する案内システムにおいて、前記携帯表示装置の使用者が、制御装置であるＲＦＩＤリーダ／ライタを設置しているゲートを通過する時、前記制御装置に前記携帯表示装置を自ら接触させることによって、前記制御装置に固有のＩＤを前記ＲＦＩＤモジュールから受信し、該受信したＩＤから、次の移動先を前記記憶部から読み出して前記表示部に表示することを特徴とする案内システム。
【請求項１５】
前記受信したＩＤが、前記記憶部に記憶されている移動先ＩＤの順番とは異なる場合、警告ブザーを鳴らすことを特徴とする請求項１４記載の案内システム。
【請求項１６】
前記受信したＩＤが、前記記憶部に記憶されている移動先ＩＤの順番とは異なる場合、前記ゲートの場所から正しい移動先までの案内を表示することを特徴とする請求項１４記載の案内システム。
【発明の詳細な説明】
【技術分野】
【０００１】
本発明は、電子ペーパに情報を表示する携帯表示装置及びこの携帯表示装置を使用する案内システムに関するものである。
【背景技術】
【０００２】
近年、機密情報の保護、所定の閲覧室からの機密情報の持ち出し禁止、特定施設への来訪者の入館にチェックには、ＲＦ（無線）ＩＤ及び無線タグを使用する電子機器として電子ペーパに情報を表示する携帯表示装置を使用することが知られている（例えば、特許文献１乃至５参照）。
特許文献１には、機密文書室に保管されている電子ペーパに無線タグを取り付けるとともに、機密文書室の出入口に無線タグリーダを設置し、無線タグリーダによって電子ペーパが外部に持ち出されたことが検知されると、電子ペーパに表示されている情報を自動で消去する技術が開示されている。
【０００３】
特許文献２には、装置本体に備えられたＧＰＳで装置本体の現在位置を検出し、装置本体が閲覧可能エリアから持ち出されことが検出されると、表示部の表示及び記憶部に記録されている表示データを削除する技術が開示されている。
特許文献３には、入館証に来訪者の画像データ、及び面会場所への案内経路を示す案内経路情報の画像を提示し、該面会場所において、次の面会場所へ誘導するための案内経路情報に書き換える入館証システムが提案されている。
特許文献４には、表示装置が個別ＩＤを有していて、パソコンは接続された転送装置を通してその個別ＩＤを認識し、この認識したＩＤと事前の処理手順に応じて情報の作成や管理を行なう技術が開示されている。
特許文献５には、電子ペーパを備えた無線応答装置に識別情報を持ち、ネットワーク上の送受信装置がその識別情報を取得し、その識別情報に割り当てられた機能を実行する機能実行手段を備えた無線応答装置システムが開示されている。
【特許文献１】特開２００４−０７８８０８公報
【特許文献２】特開２００６−２２７５１７公報
【特許文献３】特開２００５−１４８９０８公報
【特許文献４】特開２００５−３１６６７２公報
【特許文献５】特開２００７−１２９６５７公報
【発明の開示】
【発明が解決しようとする課題】
【０００４】
しかしながら、特許文献１の技術では、出入り口に設置されている無線タグリーダと管理サーバとをネットワークで構成するシステムであるため、大掛かりになるという欠点がある。
また、特許文献２の技術では、装置本体に備えられたＧＰＳで常時現在位置を検出しているため、容量・サイズとも大きなバッテリが必要であり、電子ペーパの省電力性を損なってしまっている。さらに、特許文献３の技術では、ゲート管理端末と管理サーバとをネットワークで構成するシステムであるため、大掛かりになるという欠点がある。
特許文献４の技術では、表示装置が個別ＩＤを有していて、そのＩＤを、転送装置を介して制御装置に渡し、そのＩＤに応じて制御装置が表示装置を制御するように構成されている。
特許文献５の技術では、電子ペーパを備えた無線応答装置に識別情報を持ち、送受信装置がその識別情報を取得し、接続された制御装置はネットワーク上のサーバに登録されているデータベースからその識別情報に割り当てられた機能を実行するように構成されている。
【０００５】
特許文献４及び５の技術では、電子ペーパを使用した表示装置を備えて、省電力化を測っているが、表示装置を制御する制御装置及びデータベースを有するサーバは常に稼動していなければならない。
また、特許文献４及び５の技術では、画像データを制御装置（リーダ／ライタ）、あるいはその先のネットワーク上にあるサーバで管理することになる。このため、大規模なシステム構築が必要になり、制御装置（リーダ／ライタ）の設置台数の増加に対してもシステムとして柔軟に対応することができない。
さらに、画像データを制御装置から表示装置へ転送するため、容量の大きいがデータを無線通信で短時間に転送するためには、転送速度が必要になり、表示装置側の消費電力の増加、及び電池容量の増加を引き起こす。
本発明は、かかる課題に鑑みてなされたものであり、ゲート管理端末と管理サーバとをネットワーク構築することなく、かつ電子ペーパの省電力性を活かした携帯表示装置及びこれを使用する案内システムを提供することを目的としている。
【課題を解決するための手段】
【０００６】
上記の課題を解決するために、請求項１に記載の発明は、電子ペーパを用いた表示部と、表示する画像データを蓄積する記憶部と、アンテナ回路を含む回路部を有するＲＦＩＤモジュールと、を備えた携帯表示装置において、前記ＲＦＩＤモジュールで受信したＩＤ情報に対応した表示画像を前記記憶部から読み出して前記表示部に表示することを特徴とする。
また、請求項２に記載の発明は、使用者に対応する画像表示を行なうために、表示画像データを記憶する前記記憶部をメモリカードとする請求項１記載の携帯表示装置を特徴とする。
【０００７】
また、請求項３に記載の発明は、前記使用者が、制御装置であるＲＦＩＤリーダ／ライタを設置しているゲートを通過する時、該ゲートに固有のＩＤを前記ＲＦＩＤモジュールから受信し、該受信したＩＤに基づいて、前記ゲートの場所に対応した表示画像を前記記憶部から読み出して前記表示部に表示する請求項１又は２記載の携帯表示装置を特徴とする。
また、請求項４に記載の発明は、前記受信したＩＤが、前記記憶部に記憶されている通行許可ＩＤリストにない場合、警告ブザーを鳴らす請求項３記載の携帯表示装置を特徴とする。
また、請求項５に記載の発明は、前記受信したＩＤが、前記記憶部に記憶されている通行許可ＩＤリストにない場合、表示画像を消去する請求項３記載の携帯表示装置を特徴とする。
また、請求項６に記載の発明は、前記受信したＩＤが、前記記憶部に記憶されている通行許可ＩＤリストにない場合、前記記憶部に記録されているデータを消去する請求項３記載の携帯表示装置を特徴とする。
【０００８】
また、請求項７に記載の発明は、請求項１又は２記載の携帯表示装置を使用する案内システムにおいて、前記使用者が、制御装置であるＲＦＩＤリーダ／ライタを設置しているゲートを通過する時、該ゲートに固有のＩＤを前記ＲＦＩＤモジュールから受信し、該受信したＩＤから、次の移動先を前記記憶部から読み出して前記表示部に表示する案内システムを特徴とする。
また、請求項８に記載の発明は、前記受信したＩＤが、前記記憶部に記憶されている移動先ＩＤの順番とは異なる場合、警告ブザーを鳴らす請求項７記載の案内システムを特徴とする。
また、請求項９に記載の発明は、前記受信したＩＤが、前記記憶部に記憶されている移動先ＩＤの順番とは異なる場合、前記表示部には前記ゲートの場所から正しい移動先までの案内を表示する請求項７記載の案内システムを特徴とする。
【０００９】
また、請求項１０に記載の発明は、請求項１又は２記載の携帯表示装置を使用する案内システムにおいて、前記携帯表示装置の使用者が、制御装置であるＲＦＩＤリーダ／ライタを設置しているゲートを通過する時、前記制御装置に前記携帯表示装置を自ら接触させることによって、前記制御装置に固有のＩＤを前記ＲＦＩＤモジュールから受信し、該受信したＩＤから、前記ゲートの場所に対応した表示画像を前記記憶部から読み出して前記表示部に表示することを特徴とする。
また、請求項１１に記載の発明は、前記受信したＩＤが、前記記憶部に記憶されている通行許可ＩＤリストにない場合、警告ブザーを鳴らす請求項１０記載の案内システムを特徴とする。
また、請求項１２に記載の発明は、前記受信したＩＤが、前記記憶部に記憶されている通行許可ＩＤリストにない場合、表示画像を消去する請求項１０記載の案内システムを特徴とする。
【００１０】
また、請求項１３に記載の発明は、前記受信したＩＤが、前記記憶部に記憶されている通行許可ＩＤリストにない場合、前記記憶部に記録されているデータを消去する請求項１０記載の案内システムを特徴とする。
また、請求項１４に記載の発明は、請求項１又は２記載の携帯表示装置を使用する案内システムにおいて、前記携帯表示装置の使用者が、制御装置であるＲＦＩＤリーダ／ライタを設置しているゲートを通過する時、前記制御装置に前記携帯表示装置を自ら接触させることによって、前記制御装置に固有のＩＤを前記ＲＦＩＤモジュールから受信し、該受信したＩＤから、次の移動先を前記記憶部から読み出して前記表示部に表示する案内システムを特徴とする。
また、請求項１５に記載の発明は、前記受信したＩＤが、前記記憶部に記憶されている移動先ＩＤの順番とは異なる場合、警告ブザーを鳴らす請求項１４記載の案内システムを特徴とする。
また、請求項１６に記載の発明は、前記受信したＩＤが、前記記憶部に記憶されている移動先ＩＤの順番とは異なる場合、前記ゲートの場所から正しい移動先までの案内を表示する請求項１４記載の案内システムを特徴とする。
【発明の効果】
【００１１】
本発明によれば、ＲＦＩＤモジュールが受信したＩＤ情報を、起動させたＣＰＵへ渡すことにより、そのＩＤに対応した表示画像を記憶部から読み出して表示させることができ、そして、電源をオフすることにより、表示を維持したまま省電力を行なうことが可能になる。
また、本発明によれば、設置された制御装置のゲートから受信したＩＤから、次の移動先を記憶部から読み出して表示させることで、使用者が操作すること無しに次の移動先を知ることができる案内システムを提供可能である。
【発明を実施するための最良の形態】
【００１２】
以下、図面を参照して、本発明の実施の形態を詳細に説明する。図１は本発明による携帯表示装置を示すブロック図である。図１において、携帯表示装置１は電子ペーパを用いた表示部２を有している。ここで、電子ペーパは、画像を更新する時だけ電力を必要とし、更新後は電力なしで画像を維持することができる省電力性能を備えている。
携帯表示装置１には、該装置全体の動作を制御するためのＣＰＵ３、アンテナを含む回路を有するＲＦ（無線）ＩＤモジュール４を備え、このＲＦＩＤモジュール４には、ＲＦＩＤモジュール４の制御を行い、ＲＦＩＤを受信した際に電源制御部１５に通知を行なう機能を担うマイコン５及び一時的に受信したＩＤ情報を格納するための記憶部６を有している。
また、携帯表示装置１のＣＰＵ３には、表示部２の表示制御を行なう表示制御部７、ＣＰＵ３のプログラムが格納されているＲＯＭ８、表示するための画像を蓄積する記憶部９、外部装置で各種メモリカードに蓄積された画像データを取り込むためのメモリカードＩ／Ｆ制御部１０及びメモリカードＩ／Ｆ１１が接続されている。
さらに、ＣＰＵ３には、外部装置で蓄積された画像データを有線／無線接続にて記憶部９に取り込むためのホストＩ／Ｆ制御部１２及びホストＩ／Ｆ１３が接続されている。
【００１３】
携帯表示装置１には、この携帯表示装置１の起動トリガとなる電源スイッチ１４、携帯表示装置１全体の電源制御を行なう電源制御部１５、携帯表示装置１全体の電源をカバーするバッテリ１６を含んでいる。
通常は、電源オフ状態であるが、ＲＦＩＤモジュール４が電波又は電磁波を受信すると電力が誘起され、マイコン５は、アンテナを通じて制御装置であるリーダ／ライタと交信し、リーダ／ライタのＩＤを取得し、記憶部６に格納する。そして、マイコン５は、電源制御部１５にトリガ信号を送出して、電源オン状態にしてコントローラ部２０を起動する。
起動したＣＰＵ３はＲＦＩＤモジュール４から取得したＩＤ情報を受け取り、そのＩＤに対応した表示データを記憶部９から読み出し、表示制御部７をコントロールして表示部２にデータを表示させる。
表示が完了すると、コントローラ部２０は休止モードに入って電源はオフされるが、表示部２は電子ペーパであるので、表示データは維持されることになる。従って、表示部２の書き換え時のみ電源をオンするため、バッテリ１６は容量が小さく、小型でも十分である。以上により、本発明の携帯表示装置１の機能が実現される。
このように、ＲＦＩＤモジュール４が受信したＩＤ情報を、起動させたＣＰＵ３へ渡すことによって、そのＩＤに対応した表示画像を記憶部９から読み出して表示させることができ、そして、電源をオフすることにより、表示を維持したまま省電力を行なうことが可能になる。
【００１４】
図１のブロック図におけるメモリカードＩ／Ｆ制御部１０及びメモリカードＩ／Ｆ１１を活用する。表示画像データを記憶する記憶部９をメモリカード（図示せず）とする。このように、表示画像データをメモリカードに記憶させることにより、メモリカードを差し替えることで使用者に対応した画像を表示させることができる。
例えば、ひらがな表示のデータを記憶したメモリカードを用意し、使用者が子供の時は、そのメモリカードをメモリカードＩ／Ｆ１１に挿入することで、ひらがな表示のデータを表示させることができる。
【００１５】
図２は本発明による携帯表示装置の幾つかの動作例を表すフローチャートである。このフローチャートにおいて、本発明による携帯表示装置１（図１）は制御装置であるＲＦＩＤリーダ／ライタのゲート通過時に各々のゲートのＩＤを受信する（Ｓ１）。
次いで、ゲートから受け取ったゲートＩＤが有効であるかどうかをチェックする（Ｓ２）。有効であった場合は、ゲートＩＤに対応した表示データを検索し（Ｓ３）して表示処理する（Ｓ４）。ステップ（Ｓ２）で有効でない場合は、例外処理を実施する（Ｓ５）。
図２のフローチャートにおいて、前述のように、携帯表示装置１はＲＦＩＤリーダ／ライタのゲート通過時に各々のゲートのＩＤを受信する（Ｓ１）。ゲートから受け取ったゲートＩＤが記憶部９に記録されている通行許可ＩＤリストにあるかどうかをチェックする（Ｓ２）。
すなわち、ゲートから受け取ったゲートＩＤが有効であるかどうかをチェックする。有効であった場合は、ゲートＩＤにあった表示データを検索して（Ｓ３）表示する（Ｓ４）。有効でない場合は、例外処理として警告ブザーを鳴らす（Ｓ５）。
【００１６】
図２のフローチャートにおいて、前述のように、携帯表示装置１はＲＦＩＤリーダ／ライタのゲート通過時に各々のゲートのＩＤを受信する（Ｓ１）。ゲートから受け取ったゲートＩＤが通行許可ＩＤリストにあるかどうかをチェックする（Ｓ２）。
すなわち、ゲートから受け取ったゲートＩＤが有効であるかどうかをチェックする。有効であった場合は、ゲートＩＤにあった表示データを検索して（Ｓ３）表示する（Ｓ４）。有効でない場合は、例外処理として表示画像を消去する（Ｓ５）。
上述したように、設置された制御装置のゲートから受信したＩＤから、そのゲートの場所に対応した画像を、記憶部９から読み出して表示させることで、使用者が操作すること無しに必要な情報を得ることができる。
また、受信したＩＤが通行許可ＩＤリストになかった時は、ブザーを鳴らして使用者に警告することが可能になり、その際、表示画像を消去することで表示されている情報の流出を防ぐことができる。さらに、記憶部９に記録されているデータを削除することで、データの流出を防止できる。
【００１７】
図３は本発明による携帯表示装置を使用する案内システムを示すブロック図である。図４は本発明による携帯表示装置を使用する案内システムの幾つかの動作例を表すフローチャートである。図５は記憶部に記録されているゲートＩＤに関連付けられた表示データと、通過する順番を示す記憶データのフォーマットを示す図である。
まず、図３を参照して、案内システム２１は携帯表示装置１、この携帯表示装置１を携帯する使用者が通過する第１制御装置であるＲＦＩＤリーダ／ライタのゲート（ＩＤ−１）２２、第２制御装置であるＲＦＩＤリーダ／ライタのゲート（ＩＤ−２）２３、第３制御装置であるＲＦＩＤリーダ／ライタのゲート（ＩＤ−３）２４、第４制御装置であるＲＦＩＤリーダ／ライタのゲート（ＩＤ−４）２５を含んでいる。
【００１８】
図３乃至図５を参照して、この案内システム２１では、携帯表示装置１を所持した人（例えば、Ａ氏）が、予め設置された制御装置であるＲＦＩＤリーダ／ライタのゲート２２〜２５を通過することによって、そのゲート固有のＩＤを受信し、受信したＩＤから、次の移動先を記憶部９から読み出して表示部２に表示する。
本発明による携帯表示装置１の記憶部９（図１）には、図４に示すような、ゲートＩＤに関連付けられた表示データと、通過する順番が記録されている。図４で、Ａ氏はＩＤ−１→ＩＤ−２→ＩＤ−３→ＩＤ−４の順番で通過することになる。
Ａ氏が、ゲート２２であるＩＤ−１の現在位置から、設置されたＩＤ−２の制御装置であるＲＦＩＤリーダ／ライタのゲート２３を通過すると、携帯表示装置１のＲＦＩＤは、ゲート２３のＩＤ−２を受信する（Ｓ１１）。
起動したＣＰＵ３（図１）は、このＩＤ−２を確認して（Ｓ１２）、記憶部９に記録された画像から“ＩＤ−２からＩＤ−３への案内図”を検索し（Ｓ１３）、その画像を表示して（Ｓ１４）休止モードに入る。従って、ゲートを通過することによって、携帯表示装置１を操作することなしで、次の移動先への表示に切り換わることになる。
【００１９】
携帯表示装置１の記憶部９に記録された順番で、どこまで進んだかの履歴を記録することにより、順番通りに進んでいるかが判断できる（Ｓ１２）。順番通りであるならば、記憶部９に記録された画像を検索し（Ｓ１３）、その画像を表示して（Ｓ１４）休止モードに入る。
例えば、図４の順番（２）までの履歴が記録されていて、次に受信したＩＤがゲート２５のＩＤ−４であった場合、ＣＰＵ３は記録されている履歴から、次の順番（３）の現在地ＩＤと比較して、間違っていることを認識したら、警告ブザーブザーを鳴らして（Ｓ１５）、所持する人（携帯表示装置１の使用者）に警告する。
【００２０】
携帯表示装置１は、受信したＩＤが、記憶部９に記憶されている移動先ＩＤの順番とは異なる場合、その場所から正しい移動先までの案内を表示する。例えば、上記では、受信したＩＤはＩＤ−４であったことから、現在地はゲート２５のＩＤ−４であると認識できる（Ｓ１６）。
しかし、本当の移動先は、記録されている履歴（２）からゲート２４のＩＤ−３であることが解かる（Ｓ１７）。従って、ＣＰＵ３は、記憶部９に記録された画像から“ＩＤ−４からＩＤ−３への案内図”を検索して（Ｓ１８）、表示し（Ｓ１９）、携帯表示装置１を所持した人を正しい移動先へ案内することができる。
このように、本発明による案内システムでは、設置された制御装置のゲート２２〜２５から受信したＩＤから、次の移動先を記憶部９から読み出して表示させることで、使用者が操作すること無しで次の移動先を知ることができる。
また、受信したＩＤが移動先ＩＤと異なった時は、警告ブザーを鳴らして使用者に警告することができ、その際、正しい移動先までの案内を表示することで、使用者を正しい移動先に導くことが可能になる。
【００２１】
本発明の携帯表示装置１は、制御装置であるＲＦＩＤリーダ／ライタを、この携帯表示装置１を所持した人（使用者）が通過するゲートから、使用者が自ら接触させる小型リーダ／ライタとする案内システムにすることもできる。この案内システムの動作自体は前述と同様である。
すなわち、この携帯表示装置１を所持した人が、設置されたＲＦＩＤリーダ／ライタにその携帯表示装置１を自ら接触させることによって、そのリーダ／ライタ固有のＩＤを受信し、受信したＩＤから、その場所に対応した表示画像を記憶部９から読み出して表示部２に表示する（図２のＳ４）ように構成する。
また、設置されたＲＦＩＤリーダ／ライタから受信したＩＤが、記憶部９に記憶されている許可ＩＤリストにはない場合、警告ブザーを鳴らすように構成する。さらに、設置されたＲＦＩＤリーダ／ライタから受信したＩＤが、記憶部９に記憶されている許可ＩＤリストにはない場合、表示画像を消去する（図２のＳ５）ように構成する。
【００２２】
本発明による携帯表示装置１は、設置されたＲＦＩＤリーダ／ライタから受信したＩＤが、記憶部９に記憶されている許可ＩＤリストにはない場合、記憶部９に記録されているデータを消去する（図２のＳ５）ように構成する。
また、設置されたＲＦＩＤリーダ／ライタに携帯表示装置１を自ら接触させることによって、そのリーダ／ライタ固有のＩＤを受信し、受信したＩＤから、次の移動先を記憶部９から読み出して表示部２に表示する（図２のＳ４）ように構成する。
さらに、携帯表示装置１において、設置されたＲＦＩＤリーダ／ライタから受信したＩＤが、記憶部９に記憶されている図４に示した移動先ＩＤの順番とは異なる場合、警告ブザーを鳴らす（図４のＳ１５）ように構成する。
また、設置されたＲＦＩＤリーダ／ライタから受信したＩＤが、記憶部９に記憶されている移動先ＩＤの順番とは異なる場合、その場所から正しい移動先までの案内を表示する（図４のＳ１６〜Ｓ１９）ように構成する。
【００２３】
このように、ゲートに設ける制御装置であるリーダ／ライタを小型にすることによって、多数箇所の設置が可能になり、使用者に対して、より細かい案内ができるようになる。また、使用者が使用している携帯表示装置を自ら制御装置に接触させることで、使用者が案内情報を選択することも可能になる。
例えば、美術館において、印象派の部屋の入口にゲートを設置して、表示データを書き換え、印象派全体の説明や案内を表示させていたのが、小型リーダ／ライタを展覧されている各絵画の前に設置することで、使用者は、知りたい絵画の情報を選択して表示させることができる。
上述した携帯表示装置１の使用者が自らこの携帯表示装置１を小型リーダ／ライタに接触させる案内システムにおいては、小型リーダ／ライタを多数箇所に設置することで、この携帯表示装置１の使用者に対して、より細かい案内ができるようになる。
また、使用者がその携帯表示装置１を、通過するゲートの制御装置（リーダ／ライタ）に自ら接触させることで、使用者が知りたい情報のみを選択することも可能になる。
【図面の簡単な説明】
【００２４】
【図１】本発明による携帯表示装置を示すブロック図である。
【図２】本発明による携帯表示装置の幾つかの動作例を表すフローチャートである。
【図３】本発明による携帯表示装置を使用する案内システムを示すブロック図である。
【図４】本発明による携帯表示装置を使用する案内システムの幾つかの動作例を表すフローチャートである。
【図５】記憶部に記録されているゲートＩＤに関連付けられた表示データと、通過する順番を示す記憶データのフォーマットを示す図である。
【符号の説明】
【００２５】
１  携帯表示装置、２  表示部（電子ペーパ）、３  ＣＰＵ、４  ＲＦＩＤモジュール、９  記憶部  、２０  コントロール部、２１  案内システム、２２  第１制御装置（ＲＦＩＤリーダ／ライタ）のゲート（ＩＤ−１）、２３  第２制御装置（ＲＦＩＤリーダ／ライタ）のゲート（ＩＤ−２）、２４  第３制御装置（ＲＦＩＤリーダ／ライタ）のゲート（ＩＤ−３）、２５  第３制御装置（ＲＦＩＤリーダ／ライタ）のゲート（ＩＤ−４）
【図１】
2009157239.tif 000003
【図２】
2009157239.tif 000004
【図３】
2009157239.tif 000005
【図４】
2009157239.tif 000006
【図５】
2009157239.tif 000007